(57)【要約】【課題】使用後に洗浄した食事用ポケット付きエプロンを、上下逆にした状態でそのまま引っ掛けて、乾燥および保管できるハンガーを提供する。【解決手段】左右の前出部（３）水平方向の幅がほぼ人の胴幅、かつ、横杆部（1）が前出部（３）から前方に張り出したのちに上方に向かって、正面視上端がほぼ平坦の略丘形状である横杆の形状に形成されていることを特徴とする、食事用エプロンハンガーである。横杆部（１）はハンガーの肩部（５）から離して、ポケットを引っ掛けやすいようにする。また、立ち上がり部（４）の上部先端を基点に、横杆部（１）は肩部方向に傾け、かつ、合成樹脂製の立体エプロンのポケット内部に沿うように肩部方向に湾曲させる。左右肩部の接合部（６）から上方に延びるように吊り下げ部（２）を成形する。材質は、強度や衛生面からステンレスが望ましいが、その他の金属やプラスチックでも成形が可能である。【選択図】図２
2020130215.tif 000002
【特許請求の範囲】
【請求項１】
吊り下げ部と、その下端から左右に分岐する一対の肩部と、前記両肩部下端から前方に向かって延びる前出部と、前記前出部の先端から上方に延び両立ち上がり部の先端をつなぐ略丘形状を呈する横杆部とからなることを特徴とする、食事用エプロンハンガー。
【請求項２】
前記横杆部が、肩部方向に向かって湾曲していることを特徴とする、請求項1に記載の食事用エプロンハンガー。
【発明の詳細な説明】
【技術分野】
【０００１】
本発明は、食事時に食べこぼしをキャッチするためのポケットのついたエプロンを、洗浄後に引っ掛けて乾燥および保管するハンガーに関するものである。
【背景技術】
【０００２】
従来、食べこぼしをキャッチするためのポケットの付いた食事用エプロンは子ども用が多く、洗浄後に上下逆にして吊り下げるためには、Ｓ字フックなどを使用することで、不安定ではあるが乾燥・保管できた。しかし、高齢化が進み、大人用の大きいエプロンが大量に使用されるようになってきた。これらは、衛生のため十分に乾燥が必要であるが、Ｓ字フックでは食事用エプロンが傾いてしまい保持が難しく、乾燥が不十分になり、衛生面で安全とは言えない。また、食事用エプロンの形態保持のための保管方法にも困っていた。
【０００３】
また、食事用エプロン使用後は、洗浄したのち、製品に設けられた穴をフックに引っ掛けたり、洗濯ばさみではさんで干すという方法もあるが、ポケット開口部が上を向き、ポケット内部に水分が溜まったままだと乾きづらく、細菌の繁殖などの問題点があった。
【０００４】
また、洗浄後に布巾で水分を拭き取るのも、布巾が清潔かどうかが問題であり、手間を必要としていた。
【０００５】
他方、後掲の特許文献４のような、ハンガーの横杆が上部に突出し溝の部分にバッグの肩紐など紐状のものを引っ掛けるものはあった。これらは、紐をくぼんだ溝に引っ掛けて使用するもので横杆の幅は必要でないため、目的に合わせて幅が狭く、エプロンを上下逆にしたとき水平に引っ掛からず、十分な乾燥や形態保持が望めない。
【先行技術文献】
【特許文献】
【０００６】
【特許文献１】特開２００１−６４８０７号公報
【特許文献２】特開２００３−３０１３１０号公報
【特許文献３】特開２００４−２５６９８０号公報
【特許文献４】意匠登録１２３３９６３号公報
【発明の概要】
【発明が解決しようとする課題】
【０００７】
これまでは、食べこぼしをキャッチするためのポケットの付いた食事用エプロンは、使用後に洗浄してから、洗濯ばさみで吊り下げたり、製品に設けられた穴をフックに引っ掛けての乾燥が行われてきた。しかし、ポケット開口部が上を向いたままでは、内部に水分が溜まり乾燥しづらく、水分が溜まったままのため細菌が繁殖するという衛生上の問題点があった。それを防ぐために水分を布巾で拭き取ることについても、布巾が清潔であるかどうかが問題であり、手間を必要とする欠点もあった。また、Ｓ字フックをポケット部分に引っ掛けてエプロンを上下逆にして乾燥するという方法も、エプロンが不安定であり落下の心配があった。また、吊り下げずに保管すれば変形するという問題点もあった。
【０００８】
そこで本発明は、以上の点に鑑み、食事用エプロン洗浄後から乾燥および保管までの作業を簡便にする食事用エプロンハンガーを提供することを目的とする。
【課題を解決するための手段】
【０００９】
左右の前出部水平方向の幅がほぼ人の胴幅、かつ、横杆が前出部から前方に張り出したのちに上方に向かって、正面視上端がほぼ平坦の略丘形状である横杆の形状に形成されていることを特徴とする、食事用エプロンハンガーである。横杆はハンガーの肩部から離して、ポケットを引っ掛けやすいようにする。また、立ち上がり部の上部先端を基点に、横杆は肩部方向に傾け、かつ、合成樹脂製の立体エプロンのポケット内部に沿うように肩部方向に湾曲させる。左右肩部の接合部から上方に延びるように吊り下げ部を成形する。
材質は、強度や衛生面からステンレスが望ましいが、その他の金属やプラスチックでも成形が可能である。
【発明の効果】
【００１０】
前掲の特許文献１および特許文献２のような合成樹脂製の立体エプロンだけでなく、特許文献３のようなビニール製やナイロン製の薄手のエプロンなど、様々な、食べこぼしをキャッチするためのポケット付き食事用エプロンに対応する。
【００１１】
横杆が樹脂製の食事用エプロンのポケットの内部に位置するように曲線状に成形されているので、エプロン洗浄後はエプロンを上下逆にしてポケットを引っ掛ければ、安定した状態で乾燥および保管できる。そのため洗浄後に拭き取りの手間が省ける。
【００１２】
横杆が曲線状に成形されているので、ビニール製やナイロン製の薄手のポケット付き食事用エプロンは、ポケット部分を広げて干すことができる。
【００１３】
ポケット内部に水分が溜まることがなく、乾燥までの時間が短縮されるので、細菌の繁殖を防止し、衛生面で優れている。
【００１４】
保管時にエプロンが変形することがない。
【００１５】
小さめに設計すれば子供用エプロンに対応し、乳幼児を数多く預かる保育の現場でも、エプロン洗浄後の保管および管理が容易になるという利点がある。
【００１６】
大きめに設計することで大人向けの食事用エプロンにも対応し、病院や介護施設などでも利用できる。
【００１７】
金属製ワイヤーで成形すれば強度は十分であり、食事用エプロンハンガー本体も、洗浄することによって清潔に保つことができる。
【００１８】
形が複雑でないので、製造が比較的に容易に行えることからコストを抑えられる。
【図面の簡単な説明】
【００１９】
【図１】本発明の正面図である。
【図２】本発明の斜視図である。
【図３】本発明の右側面図である。
【図４】本発明の平面図である。
【図５】本発明の図１における溶接した接合部６を、折り曲げた接合部７に変更した正面図である。
【図６】本発明に引っ掛けて使用する食事用エプロンと、本発明品を示してある。食事用エプロンは上下逆に示してある。
【図７】本発明の使用状態を示した斜視図である。
【図８】本発明の使用状態を示した背面図である。
【図９】本発明の使用状態を示した右側面図である。
【発明を実施するための形態】
【００２０】
以下に本発明の実施の形態を図面に基づいて説明する。図１〜４は、本発明に係る食事用エプロンハンガー（１０）の実施の形態を示したもので、図１はその正面図、図２は斜視図、図３は側面図、図４は平面図である。図５は、本発明の図１における溶接した接合部（６）を、折り曲げた接合部（７）に変更した正面図である。図６〜９は、本発明の使用状況を示した図である。
【００２１】
この食事用エプロンハンガーは、左右の前出部（３）水平方向の幅がほぼ人の胴幅、かつ、横杆が、左右の前出部（３）から前方に張り出したのちに上方に向かって、正面視上端がほぼ平坦の略丘形状である横杆の形状に形成されていることを特徴とする、食事用エプロンハンガーである。横杆部（１）はハンガーの肩部（５）から離して、ポケットを引っ掛けやすいようにする。また、左右の立ち上がり部（5）上方先端を基点に、横杆部（１）は背面側に傾ける。また、合成樹脂製エプロンのポケット内部に沿うように横杆部（１）を肩部方向に湾曲させる。肩部上方の接合部（6）から上方に延びるように吊り下げ部（２）を成形する。
【００２２】
図３および図４において、横杆部（１）は肩部（5）から離した状態で肩部方向に緩やかに湾曲させ、合成樹脂製エプロンのポケット内部に沿うように成形する。この湾曲が、ビニール製やナイロン製の薄手のエプロンの内部を広げる役割を果たす。
【００２３】
なお、上記実施の形態では、金属製ワイヤーを曲げ加工して成形しているが、プラスチックなどの他の材料で成形してもよい。
【００２４】
金属製ワイヤーで成形する場合、図１における溶接した接合部（６）は溶接によって成形されているが、図５において折り曲げた接合部（７）ように、ワイヤーの端を折り曲げて吊り下げ部（２）の根本部分に巻き付けた状態で成形してもよい。
【００２５】
本実施の形態において、食事用エプロンハンガーは一本の金属製ワイヤーで成形されるので、製造が比較的に容易に行えることからコストダウンに寄与している。
【００２６】
図１から４における折り曲げた部位や湾曲を持たせた部位は、その曲げ角度を適宜任意に設定することができる。
【００２７】
なお、本発明の技術的範囲は上述した各実施の形態に限定されるものではなく、本発明の要旨に逸脱しない範囲において多様な変更もしくは改良を加え得るものである。例えば、吊り下げ部（２）は図１では左側向きに成形されているが、右向きや背面向きなど適宜任意に設定することができる。また、吊り下げ部（２）が図１および図２に示したフック状ではなく、物干し竿を挟むようにしたバネ式やリング状でもよい。
【実施例】
【００２８】
以下、本発明の実施例について説明する。
図１〜４において、これらは食事用エプロンハンガー本体で、１本の金属製ワイヤーを用いて成形する。吊り下げ部（２）から曲げ始め、接合部（６）から肩部（５）へ向けて形成、その後、肩部（5）下端から前方に張り出して前出部（3）を成形する。前出部（3）から上方に向かって立ち上がり部（4）を成形する。立ち上がり部（4）上端から水平に反対側へ曲げ、今度は逆に（４）、（３）、（5）の順に成形する。最後は（６）で溶接する。または図5の（７）のように折り曲げて、形状を固定させる。横杆（１）は、立ち上がり部（4）上端を基点に肩部方向に傾け、ポケット内部に沿うように肩部方向に湾曲させる。また本ハンガーは、強度を保つ太さがあれば、ポリプロピレン等の樹脂で一体成形で製造することも可能である。
【産業上の利用可能性】
【００２９】
本発明は、食べこぼしをキャッチするためのポケットの付いた食事用エプロンの乾燥および保管する機能を備え、さらに洗浄後の水分の拭き取りといった手間が不要な食事用エプロンハンガーとして、幼児のいる家庭のみならず、保育施設などにおいて好適に利用することができる。また大きく成形することで病院や介護施設などにおいても好適に利用することができる。
【符号の説明】
【００３０】
１  横杆部
２  吊り下げ部
３  前出部
４  立ち上がり部
５  肩部
６  接合部
７  折り曲げた接合部
１０  食事用エプロンハンガー
２０  食事用エプロン
【図１】
2020130215.tif 000003
【図２】
2020130215.tif 000004
【図３】
2020130215.tif 000005
【図４】
2020130215.tif 000006
【図５】
2020130215.tif 000007
【図６】
2020130215.tif 000008
【図７】
2020130215.tif 000009
【図８】
2020130215.tif 000010
【図９】
2020130215.tif 000011